(57)【要約】【課題】従来、記録媒体を再生する装置を内蔵するテレビ装置で音楽ＣＤを再生する場合に、テレビ装置の画面には、例えば、ブルーバックと呼ばれる全面青の画面などの単色の背景画面が表示されるだけであり、表示装置としての特長や持ち味といったものが生かされていないという課題がある。【解決手段】以上の課題解決のため、本発明は、記録媒体の再生音信号とユーザの好みの色とに応じてテレビ画面に対して出力すべき色情報を取得するための第一ルールを保持し、第一ルールを利用して、再生音信号とユーザの好みの色とに応じてテレビ画面への色出力を行うＡＶ装置などを提供する。【選択図】図１
2010268386.tif 000002
【特許請求の範囲】
【請求項１】
コンテンツ再生部と、
コンテンツ再生部でのコンテンツの再生音信号を取得する再生音信号取得部と、
ユーザから色の好みを示す情報である嗜好色情報を取得する嗜好色情報取得部と、
再生音信号と、嗜好色情報と、に応じてテレビ画面に対して出力すべき色情報を取得するための第一ルールを保持する第一ルール保持部と、
第一ルールを利用して、嗜好色情報および再生音信号に応じて画面に対して出力すべき色情報を取得する第一色情報取得部と、
前記取得した色情報に応じてテレビ画面への色出力を行う色出力部と、
を有するＡＶ装置。
【請求項２】
前記コンテンツの再生時における年月日、時刻、季節、周囲の明るさ、のいずれか一以上を示す情報であるバックグラウンド情報を取得するバックグラウンド情報取得部と、
再生音信号と、嗜好色情報と、バックグラウンド情報とに応じて画面に対して出力すべき色情報を取得するための第二ルールを保持する第二ルール保持部と、
第二ルールを利用して、嗜好色情報、再生音信号、バックグラウンド情報に応じて画面に対して出力すべき色情報を取得する第二色情報取得部と、
を有する請求項１に記載のＡＶ装置。
【請求項３】
第一ルール保持部又は／及び第二ルール保持部に保持されているルールをユーザの好みに応じて変更するための保持ルール変更部をさらに有する請求項１または請求項２に記載のＡＶ装置。
【請求項４】
コンテンツ記録媒体再生装置内蔵テレビ装置である請求項１から請求項３のいずれか一に記載のＡＶ装置。
【請求項５】
コンテンツ再生部と、再生音信号と、嗜好色情報と、に応じてテレビ画面に対して出力すべき色情報を取得すための第一ルールを保持する第一ルール保持部と、を有するＡＶ装置の動作方法であって、
コンテンツ再生部でのコンテンツの再生音信号を取得する再生音信号取得ステップと、
ユーザから色の好みを示す情報である嗜好色情報を取得する嗜好色情報取得ステップと、
第一ルールを利用して、嗜好色情報および再生音信号に応じて画面に対して出力すべき色情報を取得する第一色情報取得ステップと、
前記取得した色情報に応じてテレビ画面への色出力を行う色出力ステップと、
を有するＡＶ装置の動作方法。
【請求項６】
再生音信号と、嗜好色情報と、バックグラウンド情報とに応じて画面に対して出力すべき色情報を取得するための第二ルールを保持する第二ルール保持部をさらに有するＡＶ装置の動作方法であって、
前記コンテンツの再生時における年月日、時刻、季節、周囲の明るさ、のいずれか一以上を示す情報であるバックグラウンド情報を取得するバックグラウンド情報取得ステップと、
第二ルールを利用して、嗜好色情報、再生音信号、バックグラウンド情報に応じて画面に対して出力すべき色情報を取得する第二色情報取得ステップと、
を有する請求項５に記載のＡＶ装置の動作方法。
【発明の詳細な説明】
【技術分野】
【０００１】
本発明は、映像再生装置において音楽再生専用媒体の再生時に、再生音信号に応じて画面の色や明るさを変化させて表示する表示装置を備えるＡＶ装置に関する。
【背景技術】
【０００２】
従来、記録媒体を再生する装置を内蔵するテレビ装置で音楽ＣＤを再生する場合や、テレビ装置と接続している録画再生装置などで音楽ＣＤを再生する場合では、テレビ装置の画面には、例えば、ブルーバックと呼ばれる全面青の画面などの単色の背景画面が表示されるだけである。これでは、表示装置としての特長や持ち味といったものが生かしきれていない。
【０００３】
そこで、音楽ＣＤなどの記録媒体再生装置内蔵のテレビ装置において、音楽再生専用媒体の再生時に、テレビ放送の映像や、他の入力チャンネルからの映像を、ユーザが任意に選択してテレビ画面に表示する技術が提案されている。
【先行技術文献】
【特許文献】
【０００４】
【特許文献１】特開２００２−３７４４６０
【発明の概要】
【発明が解決しようとする課題】
【０００５】
しかし、特許文献１の発明では、表示する映像を任意で選択できるが、再生する音楽とは無関係の映像が表示されてしまう。このように再生する音楽と関連の無い映像を表示することにより、音楽を聴くことを主目的として音楽ＣＤを再生するユーザにとって、テレビ装置は目障りな存在となりかねない。
【課題を解決するための手段】
【０００６】
上記課題を解決するために、本発明では次に示すＡＶ装置を提供する。すなわち、第一の発明としては、コンテンツ再生部と、コンテンツ再生部でのコンテンツの再生音信号を取得する再生音信号取得部と、ユーザから色の好みを示す情報である嗜好色情報を取得する嗜好色情報取得部と、再生音信号と、嗜好色情報と、に応じてテレビ画面に対して出力すべき色情報を取得するための第一ルールを保持する第一ルール保持部と、第一ルールを利用して、嗜好色情報および再生音信号に応じて画面に対して出力すべき色情報を取得する第一色情報取得部と、前記取得した色情報に応じてテレビ画面への色出力を行う色出力部とを有するＡＶ装置を提供する。
【０００７】
第二の発明としては、第一の発明を基本とし、前記コンテンツの再生時における年月日、時刻、季節、周囲の明るさ、のいずれか一以上を示す情報であるバックグラウンド情報を取得するバックグラウンド情報取得部と、再生音信号と、嗜好色情報と、バックグラウンド情報とに応じて画面に対して出力すべき色情報を取得するための第二ルールを保持する第二ルール保持部と、第二ルールを利用して、嗜好色情報、再生音信号、バックグラウンド情報に応じて画面に対して出力すべき色情報を取得する第二色情報取得部とを有する第一の発明に記載のＡＶ装置を提供する。
【０００８】
第三の発明としては、第一ルール保持部又は／及び第二ルール保持部に保持されているルールをユーザの好みに応じて変更するための保持ルール変更部をさらに有する第一の発明または第二の発明に記載のＡＶ装置を提供する。
【０００９】
第四の発明としては、コンテンツ記録媒体再生装置内蔵テレビ装置である第一の発明から第三の発明のいずれか一に記載のＡＶ装置を提供する。
【００１０】
第五の発明としては、コンテンツ再生部と、再生音信号と、嗜好色情報と、に応じてテレビ画面に対して出力すべき色情報を取得すための第一ルールを保持する第一ルール保持部とを有するＡＶ装置の動作方法であって、コンテンツ再生部でのコンテンツの再生音信号を取得する再生音信号取得ステップと、ユーザから色の好みを示す情報である嗜好色情報を取得する嗜好色情報取得ステップと、第一ルールを利用して、嗜好色情報および再生音信号に応じて画面に対して出力すべき色情報を取得する第一色情報取得ステップと、前記取得した色情報に応じてテレビ画面への色出力を行う色出力ステップとを有するＡＶ装置の動作方法を提供する。
【００１１】
第六の発明としては、再生音信号と、嗜好色情報と、バックグラウンド情報とに応じて画面に対して出力すべき色情報を取得するための第二ルールを保持する第二ルール保持部をさらに有するＡＶ装置の動作方法であって、前記コンテンツの再生時における年月日、時刻、季節、周囲の明るさ、のいずれか一以上を示す情報であるバックグラウンド情報を取得するバックグラウンド情報取得ステップと、第二ルールを利用して、嗜好色情報、再生音信号、バックグラウンド情報に応じて画面に対して出力すべき色情報を取得する第二色情報取得ステップとを有する第五の発明に記載のＡＶ装置の動作方法を提供する。
【発明の効果】
【００１２】
本発明により、ユーザの嗜好する色が反映された画面が、音楽再生専用媒体の再生中の再生音信号の変化に連動してテレビ画面に表示されることによって、ユーザにとって音楽を視覚的にも楽しめる。
【図面の簡単な説明】
【００１３】
【図１】実施形態１に係るＡＶ装置の機能ブロックの一例図
【図２】嗜好色情報を取得するための画面の一例図
【図３】再生音信号を表す概念図
【図４】再生音信号と色の濃淡とを対応付けた第一ルールを表す概念図
【図５】再生音信号と色の明るさ（明度）とを対応付けた第一ルールを表す概念図
【図６】テレビ画面への色出力を行う場合の概念図
【図７】テレビ画面への色出力を行う場合の別の概念図
【図８】色相マップを用いた第一ルールを表す概念図
【図９】色相マップを用いた別の第一ルールを表す概念図
【図１０】ユーザの気分を反映した第一ルールを表す概念図
【図１１】実施形態１に係るＡＶ装置のハードウェア構成の一例図
【図１２】実施形態１に係るＡＶ装置の処理の流れを示すフロー図
【図１３】実施形態２に係るＡＶ装置の機能ブロックの一例図
【図１４】バックグラウンド情報に応じた第二ルールを表す概念図
【図１５】バックグラウンド情報に応じた別の第二ルールを表す概念図
【図１６】バックグラウンド情報に応じた別の第二ルールを表す概念図
【図１７】実施形態２に係るＡＶ装置の処理の流れを示すフロー図
【図１８】実施形態３に係るＡＶ装置の機能ブロックの一例図
【発明を実施するための形態】
【００１４】
以下、本発明の実施の形態について説明する。なお、本発明は、これらの実施形態に何ら限定されるべきものではなく、その要旨を逸脱しない範囲において、種々なる態様で実施し得る。
【００１５】
実施形態１は、主に請求項１、請求項４、請求項５について説明する。実施形態２は、主に請求項２、請求項６について説明する。実施形態３は、主に請求項３について説明する。
<実施形態１>
<実施形態１  概要>
【００１６】
本実施形態は、再生する音楽再生専用媒体の再生音信号とユーザの好みの色とに応じてテレビ画面に対して出力すべき色情報を取得するための第一ルールに基づいて、テレビ画面への色出力を行うＡＶ装置である。
<実施形態１  構成>
【００１７】
本実施形態に係るＡＶ装置の機能ブロック図の一例を図１に示す。「ＡＶ装置」（０１００）は、「コンテンツ再生部」（０１０１）と、「再生音信号取得部」（０１０２）と、「嗜好色情報取得部」（０１０３）と、「第一ルール保持部」（０１０４）と、「第一色情報取得部」（０１０５）と、「色出力部」（０１０６）とを有する。
【００１８】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００１９】
また、これらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００２０】
「コンテンツ再生部」（０１０１）は、コンテンツを再生する機能を有する。コンテンツ再生部は、ＣＤ（コンパクトディスク）、ＤＶＤ、ＢＤ（ブルーレイディスク）などの記録媒体に記録された音声や映像の情報を読み取るためのドライブ装置や、デコーダやＤ／Ａコンバータや、音声出力するためのアンプやスピーカ、映像出力するためのディスプレイなどにより実現可能である。また、光ディスクだけでなく、記録媒体としてハードディスクやフラッシュメモリなどを用いるものであってもよい。
【００２１】
「再生音信号取得部」（０１０２）は、コンテンツ再生部でのコンテンツの再生音信号を取得する機能を有する。「再生音信号」とは、コンテンツを再生時の音量や音質を示す信号である。ここで音質とは再生される音の周波数の高低などをいう。再生音信号の取得は、音質については、例えば、コンテンツに記録されている音声信号を読み取り、その信号に高速フーリエ変換を施し周波数スペクトルを得ることにより音質の高低を取得してもよい。音量については、アンプなどの増幅回路での出力値を取得してもよい。取得した再生音信号は、ＲＡＭなどのメモリにキャッシュしておいてもよい。
【００２２】
「嗜好色情報取得部」（０１０３）は、ユーザから色の好みを示す情報である嗜好色情報を取得する機能を有する。「嗜好色情報」とは、ユーザの嗜好する色についての情報である。嗜好色情報は、一色に限らず複数であってもよい。また、本ＡＶ装置を利用するユーザが複数存在する場合に対応するため、複数のユーザの嗜好色情報を取得するようにしてもよい。嗜好色情報は、テレビ装置の画面を介して取得してもよい。例えば、図２のような画面を表示して嗜好色情報とともに、ユーザに関する他の情報を取得するようにしてもよい。図２においては、「好きな色１」、「好きな色２」、「今日の気分」、「好きな音楽」についての情報を取得することができる。嗜好色以外の「今日の気分」や「好きな音楽」についても、これらの情報を光ディスクの再生時の表示画面に反映するようにしてもよい。この点については後述する。取得した嗜好色情報はＨＤＤやメモリなどの記憶装置に記憶してもよく、また、他の情報などとともにユーザに関する情報としてデータベース化してもよい。
【００２３】
「第一ルール保持部」（０１０４）は、再生音信号と、嗜好色情報と、に応じてテレビ画面に対して出力すべき色情報を取得するための第一ルールを保持する機能を有する。「色情報」には、「色」の属性である色相、明度、彩度を含む。「第一ルール」とは、再生音信号と嗜好色情報という二つの情報から、画面に出力すべき色情報を一意に定めるためのルールである。ここで、ルールについて概念図を用いて説明する。まず、再生音信号を音量と音質の二つの要素で示す。再生音信号を表す概念図を図３に示す。図３においては、縦軸を音量、横軸を音質としたグラフ上に表している。例えば、Ａ点（０３０１）は高音かつ大音量であり、Ｂ点（０３０２）は高音かつやや小音量であり、Ｃ点（０３０３）はやや低音かつやや大音量であり、Ｄ点（０３０４）は低音かつ小音量である。図４は、「好きな色」が青色である場合に、青色の濃淡と再生音信号とを対応付けたルールを概念的に示した図である。図４Ａは、音量の大小と青色の濃淡とを対応付けている。音質の高低とは対応付けていない。すなわち、音が大きいほど濃い青色をテレビ画面に表示するというルールである。図４Ｂは、音質の高低と青色の濃淡とを対応付けており、音質が高いほど濃い青色をテレビ画面に表示するというルールであり、音量の大小とは対応付けていない。図４Ｃは、音量と音質と、青色の濃淡とを対応付けている。大音量で高音である程濃い青色を表示するというルールである。また、再生音信号と色の明るさ（明度）とを対応付けたルールであってもよい。さらに、「嗜好色情報」が複数存在する場合には、再生音信号に応じて、複数の嗜好色の間で色相が変化するように対応付けたものとしてもよい。図５は、再生音信号と色の明るさ（明度）とを対応付けたルールを概念的に示したものである。すなわち、音量が大きいほど明るさを高くして表示するというルールである。第一ルール保持部は、上述したような再生音信号と嗜好色情報とを関連付けたルールをＨＤＤやメモリなどの記憶領域に保持する。
【００２４】
「第一色情報取得部」（０１０５）は、第一ルールを利用して、嗜好色情報および再生音信号に応じて画面に対して出力すべき色情報を取得する機能を有する。「色情報」とは、画面上に色を表現するための情報であり、例えば、ＲＧＢデータなどで構成されるフレームごとの描画データなどである。第一色情報取得部は、ＣＰＵやＲＡＭなどで実現することができる。
【００２５】
「色出力部」（０１０６）は、前記取得した色情報に応じてテレビ画面への色出力を行う機能を有する。色出力部は、例えばＶＲＡＭや、そのＶＲＡＭ上での色情報の配置を決定するグラフィックアクセラレータ、および、ディスプレイなどの表示装置によって実現することができる。
【００２６】
以下、第一ルールに基づいて色出力が行われる例を、図を用いて説明する。図６は、第一色情報取得部が取得した色情報に応じて色出力部がテレビ画面への色出力を行う場合の概念図である。この場合のルールは、音量の大小と青色の濃淡とを対応付けたものである。小音量では淡い青色がテレビ画面に表示され、音量が大きくなるのに応じて濃い青色が表示され、さらに、音量が中程度になるのに応じて中間的な青色が表示される。図７は、「嗜好色情報」が「青色」と「赤色」の２色であり、再生音信号に応じて「青色」と「赤色」の間で色相が変化するルールの場合において、第一色情報取得部が取得した色情報に応じて色出力部がテレビ画面への色出力を行う場合の概念図である。図７に示すように、大音量では青色がテレビ画面に表示され、小音量になると赤色が表示され、さらに、音量が中程度になるとマゼンタ色が表示される。なお、取得した色情報に対してリニアに色出力を行うと、画面上の変化が鋭敏なものとなり、見る者に疲労感や不快感を与えるおそれもあるので、ヒステリシスをもたせて滑らかに変化するような処理を加えてもよい。
【００２７】
図８は、再生音信号と色相マップとを対応させて色情報を取得する別の一例を概念的に示した図である。色相マップとは、再生音信号を縦軸と横軸のグラフで表現する場合において、このグラフの再生音信号と対応する色をマッピングしたものである。再生音信号を表すグラフと色相マップを重ね合わせて、再生音信号の音量と音質によって定まるグラフ上の位置と、色相マップにおいて当該位置に配されている色を対応させるものである。図８においては、赤、マゼンタ、青、シアン、緑、黄の６色を配しているが、マップ上を明確に区分して、それぞれの色を配してもよいし、隣接する色の中間色を経由しながら緩やかに変化させた色を配してもよい。こうした色相マップと対応させるルールは、例えば、「嗜好色情報取得部」にて、ユーザの嗜好色を取得する際に、ユーザが嗜好色を入力しない場合や、「おまかせ」や「カラフル」などといった選択肢を入力した場合に用いたり、あるいは、本ＡＶ装置の初期設定として用いてもよい。なお、図示した色相マップの各色の配置は一例にすぎず、様々な色相マップを用いたルールの設定をすることができる。このような色相マップと再生音信号とを対応させるルールによって色情報を取得して表示すると、再生音の変化に応じて、テレビ画面の表示が多様に変化して、ユーザは視覚的にも音楽を楽しむことができる。また、図９に示すように、再生音信号と色相マップとの対応付けに、さらに、「明るさ」を対応付けてもよい。
【００２８】
「嗜好色情報」を取得する際に、嗜好色情報の他に、例えば、「好きな音楽」や「今日の気分」といった情報を取得してもよい。「好きな音楽」の情報を取得する場合には「ロック」や「イージーリスニング」といった音楽ジャンルの入力を受付けるようにしてもよい。「好きな音楽をディスプレイに表示される色情報に反映させるためには、例えば、好きな音楽のジャンルにおいて相対的に出力される傾向の強い「音量」や「音質」と「好きな色」とが対応するようなルールを保持しておくことができる。このような対応付けにより好きな音楽が再生中は好きな色が画面に表示されやすくなる。また、「イージーリスニング」の場合には、再生音に応じた表示の変化をゆるやかにするなど、音楽のジャンルに応じて色出力を、ヒステリシスを持たせて行うようにしてもよい。また、「今日の気分」を反映させるためには、例えば、図１０に示すように、再生音信号を表すグラフの基準点（縦軸と横軸の交点）を、気分に応じてずらして、「色の濃淡」や「明るさ」や「色相マップ（図示省略）」などと対応付けしてもよい。「楽しい気分」であれば好きな色がより鮮やかに表示されやすくなる。また、スリープタイマーなどの自動電源オフ機能の操作と連動して、徐々に明るさを低下させたりするようにしてもよい。
【００２９】
以上のような画像処理を行うことにより、ディスプレイでの表示と再生音の出力とに時間的なずれが生じるおそれもある。そこで、画像処理能力に応じて音声出力を、遅延回路などを経由して行うことにより、ユーザにずれを感じさせないようにしてもよい。
【００３０】
本実施形態は、光ディスク再生装置や、半導体メモリを用いたメモリカードの読み取り装置を内蔵するテレビ装置としても実現することができる。その場合には、例えば、「第一ルール」に、テレビ装置の属性情報をテレビ画面に出力すべき色情報に反映させるためのルールを含めてもよい。例えば、テレビ装置本体の色や、チャンネル設定などの各種設定を行うためのインターフェイス画面（メニュー画面）の色を、「嗜好色情報」の一部として予め設定しておいてもよい。そして、ユーザの好きな色が入力ないし設定されていない場合などに、テレビ装置本体の色やインターフェイス画面の色を嗜好色情報として、テレビ画面に対して出力すべき色情報を取得するようにしてもよい。また、テレビ装置の視聴モードなどを反映するような第一ルールを保持していてもよい。例えば、テレビ装置が、「映画モード」や「ダイナミックモード」などといった画質設定モードをあらかじめ設けている場合には、例えば、「映画モード」がプリセットされている時には、明るさを控えめにして再生音信号に応じた色情報を取得するようにしたり、「ダイナミックモード」がプリセットされている時には、ヒステリシスを抑えて鋭敏な色出力が行われるようにしてもよい。もよい。
<実施形態１  ハードウェア構成>
【００３１】
図１１は、本実施形態のＡＶ装置の上記機能的構成をハードウェアとして実現した際の構成の一例を表す図である。図１１に示すように、本実施形態の「ＡＶ装置」は、「コンテンツ再生部」、「再生音信号取得部」、「嗜好色情報取得部」、「第一ルール保持部」、「第一色情報取得部」、「色出力部」などを構成する、「ＣＰＵ」（１１０１）、「メインメモリ」（１１０２）、「記憶装置」（１１０３）、「Ｉ／Ｏ」（１１０４）、「表示回路」（１１０５）、「ディスプレイ」（１１０６）、「バス」（１１０７）などを備えている。
【００３２】
メインメモリ（１１０２）は、プログラム実行中に動的にデータ書換可能な記憶装置である。メインメモリ（１１０２）は記憶装置（１１０３）に記憶されている再生音信号取得プログラムや嗜好色情報取得プログラムや第一色情報取得プログラムなどを実行するために必要なスタックやヒープ等のワーク領域を提供する。さらに、ディスプレイに表示するために生成される画像データや、再生音信号取得プログラムや嗜好色情報取得プログラムや第一色情報取得プログラムなどの命令により計算された計算結果などを保持する。記憶装置（１１０３）はプログラム実行中に動的にデータ書換可能な記憶装置であり、装置の電源が切れても、記憶しているデータが消去されない。記憶装置（１１０３）は、第一ルールや再生音信号取得プログラムや嗜好色情報取得プログラムや第一色情報取得プログラムなどが記憶されている。また、ユーザにより入力された嗜好色情報をはじめとするユーザに関する情報を記憶してもいてもよい。「ＣＰＵ」（１１０１）は、メインメモリに展開された再生音信号取得プログラムを実行し、取得した再生音信号をいったん保持し、第一色情報取得プログラムを実行し、再生音信号に応じた色情報を取得する。そして、取得した色情報をＶＲＡＭに展開し、「表示回路」（１１０５）を介して「ディスプレイ」（１１０６）に出力する。
<実施形態１  処理の流れ>
【００３３】
図１２は、本実施形態に係るＡＶ装置における処理の流れの一例を示すフロー図である。本実施形態に係るＡＶ装置は、コンテンツ再生部と、第一ルール保持部とを有しており、処理の流れは、まず、コンテンツ再生部でのコンテンツの再生音信号を取得する。この処理は再生音信号取得部によって実行される（再生音信号取得ステップ  Ｓ１２０１）。次に、ユーザから色の好みを示す情報である嗜好色情報を取得する。この処理は嗜好色情報取得部によって実行される（嗜好色情報取得ステップ  Ｓ１２０２）。次に、第一ルールを利用して、前記再生音信号取得ステップにて取得した再生音信号および嗜好色情報に応じてテレビ画面に対して出力すべき色情報を取得する。この処理は第一色情報取得部によって実行される（第一色情報取得ステップ  Ｓ１２０３）。次に、前記取得した色情報に応じてテレビ画面への色出力を行う。この処理は色出力部によって実行される（色出力ステップ  Ｓ１２０４）。
<実施形態１  効果>
【００３４】
本実施形態に係るＡＶ装置によって、再生音の音量や音質に応じてテレビ画面での表示が変化し、耳だけでなく目でも音楽を楽しむことができる。
<実施形態２>
<実施形態２  概要>
【００３５】
本実施形態は、実施形態１を基本として、再生音信号と嗜好色情報に加えて、コンテンツ再生時における年月日、時刻、季節、周囲の明るさ、のいずれか一以上の情報にも応じた色出力をテレビ画面に対して行うＡＶ装置である。
<実施形態２  構成>
【００３６】
本実施形態に係るＡＶ装置の機能ブロック図の一例を図１３に示す。ＡＶ装置（１３００）は、「コンテンツ再生部」（１３０１）と、「再生音信号取得部」（１３０２）と、「嗜好色情報取得部」（１３０３）と、「第一ルール保持部」（１３０４）と、「第一色情報取得部」（１３０５）と、「色出力部」（１３０６）とを有し、さらに、「バックグラウンド情報取得部」（１３０７）と、「第二ルール保持部」（１３０８）と、「第二色情報取得部」（１３０９）とを有する。「バックグラウンド情報取得部」と「第二ルール保持部」と「第二色情報取得部」以外の各構成は、実施形態１におけるものと同様であるので説明を省略する。
【００３７】
「バックグラウンド情報取得部」（１３０７）は、前記コンテンツの再生時における年月日、時刻、季節、周囲の明るさ、のいずれか一以上を示す情報であるバックグラウンド情報を取得する機能を有する。年月日、時刻、季節の情報の取得は、内蔵カレンダーや内蔵時計などによって実現可能である。また、周囲の明るさは、フォトＩＣなどの明るさセンサを用いて実現可能である。これらのバックグラウンド情報の取得は、種々の従来技術によって実現可能である。取得したバックグラウンド情報は、ＲＡＭなどのメモリに記憶したりキャッシュしたりしてもよい。
【００３８】
「第二ルール保持部」（１３０８）は、再生音信号と、嗜好色情報と、バックグラウンド情報とに応じて画面に対して出力すべき色情報を取得するための第二ルールを保持する機能を有する。「第二ルール」は、すでに述べたように、再生音信号と嗜好色情報とに応じてテレビ画面に対して出力すべき色情報を取得するための第一ルール、もしくは、第一ルールと同様のルールに、さらに、前記バックグラウンド情報を反映させて色情報を取得するためのルールである。
【００３９】
第二ルールを、図を用いて説明する。画面に対して出力すべき色情報は、再生音信号と嗜好色情報に応じたものとなるが、さらに、その再生時のバックグラウンド情報を色情報に重畳的に反映させる。例えば、図１４では、再生音信号と嗜好色情報とに応じた色情報の変化にヒステリシスをもたせる場合に、一日の時間帯に応じたヒステリシスの大きさを概念的に表している。日中の時間帯に対して夜間におけるヒステリシスを大きくすることにより、夜間では、再生音信号と嗜好色情報とに応じた色情報の変化を緩やかなものとしている。また、一日の時間帯に応じて色情報の変化の幅に広狭を持たせている。図１５は、さらに、季節の情報をヒステリシスに反映させた場合を概念的に示した図である。春と秋の季節を基準として、冬においてはヒステリシスをより大きくもたせ、夏においてはより小さくしている。なお、季節とヒステリシスとの対応は、図１５のように季節に応じて離散的に３段階で変化させてもよいし、例えば、冬至の日にヒステリシスを最も大きくし夏至の日にヒステリシスを最も小さくして、その間は日々、徐々に変化させてもよい。
【００４０】
また、「嗜好色情報取得部」にて、ユーザの嗜好色を取得する際に、ユーザが嗜好色を入力しない場合や「おまかせ」などといった選択肢を入力した場合に嗜好色として用いる色を、一日の時間帯や季節によって変化するようにしてもよい。このように時間や季節に応じて変化させる一例を図１６に示す。図１６Ａは、時間による変化を示したもので、０時の青から緑、黄、赤と変化し、２４時に青に戻る。図１６Ｂは、日にちによる変化示したもので、１月の青から緑、黄、赤と変化し、１２月から青に戻る。これらの変化は、段階的に変化させてもよいし、徐々に変化させてもよい。
【００４１】
「第二色情報取得部」（１３０９）は、第二ルールを利用して、嗜好色情報、再生音信号、バックグラウンド情報に応じて画面に対して出力すべき色情報を取得する機能を有する。例えば、ＲＧＢデータなどで構成されるフレームごとの描画データなどである色情報を、第二ルールに従って取得する。第一色情報取得部は、ＣＰＵやＲＡＭなどで実現することができる。
<実施形態２  ハードウェア構成>
【００４２】
本実施形態係るＡＶ装置の上記機能的構成をハードウェアとして実現する構成については、例えば、「バックグラウンド情報取得部」実現するためのフォトＩＣなどの明るさセンサを加えるなどして、実施形態１に準じて実現できる。よって、ここでの詳細な説明は省略する。
<実施形態２  処理の流れ>
【００４３】
図１７は、本実施形態に係るＡＶ装置における処理の流れの一例を示すフロー図である。本実施形態に係るＡＶ装置は、コンテンツ再生部と、第一ルール保持部と、第二ルール保持部とを有しており、処理の流れは、まず、コンテンツ再生部でのコンテンツの再生音信号を取得する。この処理は再生音信号取得部によって実行される（再生音信号取得ステップ  Ｓ１７０１）。次に、ユーザから色の好みを示す情報である嗜好色情報を取得する。この処理は嗜好色情報取得部によって実行される（嗜好色情報取得ステップ  Ｓ１７０２）。次に、前記コンテンツの再生時における年月日、時刻、季節、周囲の明るさ、のいずれか一以上を示す情報であるバックグラウンド情報を取得する。この処理はバックグラウンド情報取得部にて実行される（バックグラウンド情報取得ステップ  Ｓ１７０３）。次に、第二ルールを利用して、前記再生音信号取得ステップにて取得した再生音信号、嗜好色情報、バックグラウンド情報に応じてテレビ画面に対して出力すべき色情報を取得する。この処理は第二色情報取得部によって実行される（第一色情報取得ステップ  Ｓ１７０４）。次に、前記取得した色情報に応じてテレビ画面への色出力を行う。この処理は色出力部によって実行される（色出力ステップ  Ｓ１７０５）。
<実施形態２  効果>
【００４４】
本実施形態に係るＡＶ装置によって、コンテンツの再生時における年月日、時刻、季節、周囲の明るさなどを反映した色出力が実行される。
<実施形態３>
<実施形態３  概要>
【００４５】
本実施形態は、実施形態１または実施形態２を基本として、第一ルール又は／及び第二ルールを、ユーザの好みに応じて変更することができるＡＶ装置である。
<実施形態３  構成>
【００４６】
本実施形態に係るＡＶ装置の機能ブロック図の一例を図１８に示す。ＡＶ装置（１８００）は、「コンテンツ再生部」（１８０１）と、「再生音信号取得部」（１８０２）と、「嗜好色情報取得部」（１８０３）と、「第一ルール保持部」（１８０４）と、「第一色情報取得部」（１８０５）と、「色出力部」（１８０６）と、「バックグラウンド情報取得部」（１８０７）と、「第二ルール保持部」（１８０８）と、「第二色情報取得部」（１８０９）とを有し、さらに、「保持ルール変更部」（１８１０）を有する。「保持ルール変更部」以外の各構成は、実施形態１または実施形態２におけるものと同様であるので説明を省略する。
【００４７】
「保持ルール変更部」（１８１０）は、第一ルール保持部又は／及び第二ルール保持部に保持されているルールをユーザの好みに応じて変更するための機能を有する。ルールの変更は、例えば、再生音信号に対応付けた色相マップに用いる色の数や配置などを、ユーザの好みに応じて変更するための入力を受付けて、受付けた入力に応じて保持されているルールを変更（書換更新処理など）する。このような処理は、ＨＤＤやメモリなどに記憶されているルール変更プログラムをＣＰＵなどで実行することなどにより実現することができる。
<実施形態３  ハードウェア構成>
【００４８】
本実施形態係るＡＶ装置の上記機能的構成をハードウェアとして実現する構成については、実施形態１または実施形態２に準じて実現できる。よって、ここでの詳細な説明は省略する。
<実施形態３  処理の流れ>
【００４９】
本実施形態は、第一ルール保持部又は／及び第二ルール保持部に保持されているルールを変更するための保持ルール変更部を備えることに特徴を有するが、変更されたルールに基づいてテレビ画面への色出力を行う処理の流れは、実施形態１または実施形態２の場合と同様である。よって、ここでの説明は省略する。
<実施形態３  効果>
【００５０】
本実施形態に係るＡＶ装置によって、ユーザの好みが反映されたルールに基づいてテレビ画面への色出力が行われることが可能になる。
【符号の説明】
【００５１】
０１００  ＡＶ装置
０１０１  コンテンツ再生部
０１０２  再生音信号取得部
０１０３  嗜好色情報取得部
０１０４  第一ルール保持部
０１０５  第一色情報取得部
０１０６  色出力部
【図１】
2010268386.tif 000003
【図２】
2010268386.tif 000004
【図３】
2010268386.tif 000005
【図４】
2010268386.tif 000006
【図５】
2010268386.tif 000007
【図６】
2010268386.tif 000008
【図７】
2010268386.tif 000009
【図８】
2010268386.tif 000010
【図９】
2010268386.tif 000011
【図１０】
2010268386.tif 000012
【図１１】
2010268386.tif 000013
【図１２】
2010268386.tif 000014
【図１３】
2010268386.tif 000015
【図１４】
2010268386.tif 000016
【図１５】
2010268386.tif 000017
【図１６】
2010268386.tif 000018
【図１７】
2010268386.tif 000019
【図１８】
2010268386.tif 000020